(57)【特許請求の範囲】
【請求項１】
現在日時を計数する計時手段と、
世界の一地点を地方時の算出に係る主設定として定め、予め定められた数以内の世界の地点を世界時計設定として定める地方時設定手段と、
前記計時手段により計数されている日時を前記地方時設定手段により前記主設定及び前記世界時計設定として定められている世界の地点の地方時にそれぞれ変換する地方時算出手段と、
現在位置の取得を行う位置情報取得手段と、
を備え、
前記地方時設定手段は、
前記位置情報取得手段により新たな位置情報が取得されると、主設定として予め定められた特定地点が選択されている場合には、前記位置情報取得手段により取得された位置を前記世界時計設定の一つとして追加又は入れ替えを行い、主設定として前記特定地点が選択されていない場合には、前記位置情報取得手段により取得された位置を主設定として定め、
前記位置情報取得手段は、前記主設定及び前記世界時計設定の何れにも前記特定地点が設定されている場合に、現在位置の取得を中止する、
ことを特徴とする電子時計。
【請求項２】
現在日時を計数する計時手段と、
世界の一地点を地方時の算出に係る主設定として定め、予め定められた数以内の世界の地点を世界時計設定として定める地方時設定手段と、
前記計時手段により計数されている日時を前記地方時設定手段により前記主設定及び前記世界時計設定として定められている世界の地点の地方時にそれぞれ変換する地方時算出手段と、
位置情報取得手段と、
日時情報を送信する長波長電波送信局からの電波を受信する長波受信手段と、
ユーザによる操作を受け付ける操作受付手段を備え、
を備え、
前記地方時設定手段は、
前記位置情報取得手段により新たな位置情報が取得されると、主設定として予め定められた特定地点が選択されている場合には、前記位置情報取得手段により取得された位置を前記世界時計設定の一つとして追加又は入れ替えを行い、主設定として前記特定地点が選択されていない場合には、前記位置情報取得手段により取得された位置を主設定として定め、
また、前記操作受付手段により前記主設定が前記特定地点に変更された場合には、前記世界時計設定において予め定められた一つの地点が受信範囲として定められている長波長電波送信局を受信対象とし、前記操作受付手段により前記主設定が前記特定地点から前記特定地点以外の地点に変更された場合には、前記主設定に係る地点が受信範囲として定められている長波長電波送信局を受信対象とする、
ことを特徴とする電子時計。
【請求項３】
前記特定地点を示す情報には、ＵＴＣ日時が含まれることを特徴とする請求項１又は２記載の電子時計。
【請求項４】
前記位置情報取得手段は、
測位衛星からの電波を受信する衛星電波受信手段と、
当該衛星電波受信手段により受信された電波に基づいて現在位置を算出する測位手段と、
を備えることを特徴とする請求項１〜３の何れか一項に記載の電子時計。
【請求項５】
前記衛星電波受信手段により電波を受信させて前記測位手段により前記現在位置を取得させる位置取得制御手段を備える、
ことを特徴とする請求項４記載の電子時計。
【請求項６】
当該長波受信手段により受信された日時情報を解読して取得する日時取得手段を備え、
前記地方時設定手段は、
前記主設定として前記特定地点が定められている場合には、前記世界時計設定において予め定められた一つの地点が受信範囲として定められている長波長電波送信局を受信対象とする、
ことを特徴とする請求項２記載の電子時計。
【請求項７】
前記主設定に係る地点における地方時と、前記世界時計設定に係る地点の少なくとも一つにおける地方時とを同時に表示する表示手段と、
前記表示手段の表示内容を制御する表示制御手段と、
を備え、
前記表示制御手段は、
前記位置情報取得手段により前記主設定又は前記世界時計設定が変更された場合には、当該変更された設定に係る地点の地方時を前記表示手段により表示させる
ことを特徴とする請求項１〜６の何れか一項に記載の電子時計。
【請求項８】
計時手段を備える電子時計において地方時の算出位置を設定する地方時の位置設定方法であって、
世界の一地点を地方時の算出に係る主設定として設定し、予め定められた数以内の世界の地点を世界時計設定として定める地方時設定ステップ、
前記計時手段により計数されている日時を前記地方時設定ステップで前記主設定及び前記世界時計設定として設定されている世界の地点の地方時にそれぞれ変換する地方時算出ステップ、
現在位置の取得を行う位置情報取得ステップ、
を含み、
前記地方時設定ステップは、
前記位置情報取得ステップで新たな位置情報が取得されると、主設定として予め定められた特定地点が選択されている場合には、前記位置情報取得ステップで取得された位置を前記世界時計設定の一つとして追加又は入れ替えを行い、前記主設定として前記特定地点が選択されていない場合には、前記位置情報取得ステップで取得された位置を前記主設定として定め、
前記位置情報取得ステップは、
前記主設定及び前記世界時計設定の何れにも前記特定地点が設定されている場合に、現在位置の取得を中止する、
ことを特徴とする地方時の位置設定方法。
【請求項９】
計時手段を備える電子時計において地方時の算出位置を設定する地方時の位置設定方法であって、
世界の一地点を地方時の算出に係る主設定として設定し、予め定められた数以内の世界の地点を世界時計設定として定める地方時設定ステップ、
前記計時手段により計数されている日時を前記地方時設定ステップで前記主設定及び前記世界時計設定として設定されている世界の地点の地方時にそれぞれ変換する地方時算出ステップ、
位置情報取得ステップ、
日時情報を送信する長波長電波送信局からの電波を受信する長波受信ステップ、
ユーザによる操作を受け付ける操作受付ステップ、
を含み、
前記地方時設定ステップは、
前記位置情報取得ステップで新たな位置情報が取得されると、主設定として予め定められた特定地点が選択されている場合には、前記位置情報取得ステップで取得された位置を前記世界時計設定の一つとして追加又は入れ替えを行い、前記主設定として前記特定地点が選択されていない場合には、前記位置情報取得ステップで取得された位置を前記主設定として定め、
また、前記操作受付ステップにより前記主設定が前記特定地点に変更された場合には、前記世界時計設定において予め定められた一つの地点が受信範囲として定められている長波長電波送信局を受信対象とし、前記操作受付ステップにより前記主設定が前記特定地点から前記特定地点以外の地点に変更された場合には、前記主設定に係る地点が受信範囲として定められている長波長電波送信局を受信対象とする、
ことを特徴とする地方時の位置設定方法。
【発明の詳細な説明】
【技術分野】
【０００１】
この発明は、世界の時刻を表示可能な電子時計及び地方時の位置設定方法に関する。
【背景技術】
【０００２】
従来、複数箇所の地方時やＵＴＣ時刻などを同時に又は切り替えて表示を行わせる世界時計機能を有する電子時計がある。世界の各地を商用や観光などで行き来する旅行者や、世界の他地域と取引や打ち合わせなどを行う者など、自身の居住の地方時と旅行先や取引先の地方時とを表示可能とすることで、スムーズに必要な地方時を知得することが出来る。
【０００３】
このような世界時計機能を有する電子時計では、従来、測位衛星からの電波を受信することで位置情報を取得し、取得された位置情報に応じて現在位置のタイムゾーンや夏時間実施エリアに応じた地方時の表示に自動的に変更させる技術がある。このような自動的な変更は、ユーザの操作によって可否に係る設定がなされ得る。
【０００４】
また、電子時計には、定期的に又は所定の条件で外部から電波を受信して日時情報を取得することで、計数する日時の精度を保つ電波時計がある。特許文献１には、長波長帯で日時情報が送信されている標準電波や測位衛星からの電波といった複数種類の電波を併用して、精度をより安定して保つ技術が開示されている。これらのうち標準電波には、受信エリアがある。そこで、上述のように位置情報が取得された場合に、当該位置情報に応じて受信対象の標準電波を切り替える技術がある。
【先行技術文献】
【特許文献】
【０００５】
【特許文献１】特開２００２−７１８５４号公報
【発明の概要】
【発明が解決しようとする課題】
【０００６】
しかしながら、このような世界時計機能を利用するユーザの中には、現在位置の地方時ではなく、ＵＴＣ日時などの特定の日時情報が重要なユーザがいる。しかしながら、従来のように、単純に現在位置を世界時計機能に反映させないだけでは、地方時設定の柔軟性に欠けるという課題がある。
【０００７】
この発明の目的は、特定の日時情報に係る設定を尊重しながらより柔軟に地方時設定を行うことが出来る電子時計及び地方時の位置設定方法を提供することにある。
【課題を解決するための手段】
【０００８】
上記目的を達成するため、本発明は、
現在日時を計数する計時手段と、
世界の一地点を地方時の算出に係る主設定として定め、予め定められた数以内の世界の地点を世界時計設定として定める地方時設定手段と、
前記計時手段により計数されている日時を前記地方時設定手段により前記主設定及び前記世界時計設定として定められている世界の地点の地方時にそれぞれ変換する地方時算出手段と、
現在位置の取得を行う位置情報取得手段と、
を備え、
前記地方時設定手段は、
前記位置情報取得手段により新たな位置情報が取得されると、主設定として予め定められた特定地点が選択されている場合には、前記位置情報取得手段により取得された位置を前記世界時計設定の一つとして追加又は入れ替えを行い、主設定として前記特定地点が選択されていない場合には、前記位置情報取得手段により取得された位置を主設定として定め、
前記位置情報取得手段は、前記主設定及び前記世界時計設定の何れにも前記特定地点が設定されている場合に、現在位置の取得を中止する、
ことを特徴とする電子時計である。
【発明の効果】
【０００９】
本発明に従うと、特定の日時情報に係る設定を尊重しながらより柔軟に地方時設定を行うことが出来るという効果がある。
【図面の簡単な説明】
【００１０】
【図１】本発明の実施形態の電子時計の機能構成を示すブロック図である。
【図２】ＲＡＭに記憶されているホーム時計及び世界時計の設定内容の例を示す図である。
【図３】地方時情報取得処理の制御手順を示すフローチャートである。
【図４】ホーム時計手動設定処理の制御手順を示すフローチャートである。
【図５】世界時計手動設定処理の制御手順を示すフローチャートである。
【発明を実施するための形態】
【００１１】
以下、本発明の実施の形態を図面に基づいて説明する。
図１は、本実施形態の電子時計１の機能構成を示すブロック図である。
この電子時計１は、世界時計機能を有する携帯型の電子時計であって、例えば、電子腕時計である。
電子時計１は、ＣＰＵ（Central Processing Unit）４１（地方時設定手段、地方時算出手段、位置取得制御手段、日時取得手段、表示制御手段）と、ＲＯＭ（Read Only Memory）４２と、ＲＡＭ（Random Access Memory）４３と、複数の指針４４と、ステッピングモータ４５と、駆動回路４６と、操作受付手段としての操作部４７と、発振回路４８と、分周回路４９と、計時手段としての計時回路５０と、長波受信部５１及びアンテナＡ１と、衛星電波受信処理部５２及びアンテナＡ２と、ＵＡＲＴ５３（Universal Asynchronous Receiver / Transmitter）と、電源部５４などを備えている。
【００１２】
ＣＰＵ４１は、各種演算処理を行い、電子時計１の全体動作を統括制御する。また、ＣＰＵ４１は、衛星電波受信処理部５２から取得された日時データや長波受信部５１から入力された信号に基づいて解読された日時データに基づいて計時回路５０に信号を送り、計時回路５０が保持する日時データを修正するとともに、設定されているホーム位置における日時（ホーム時計；ＨＴ）及び世界時計位置における日時（世界時計；ＷＴ）を計数する。
【００１３】
ＲＯＭ４２には、電子時計１が各種動作を行うための種々のプログラムや初期設定データが格納されている。ＲＯＭ４２に格納されているプログラムには、ホーム都市及び世界都市の日時の計数、表示制御、長波受信部５１による標準電波の受信タイミングや受信対象局の制御、及び衛星電波受信処理部５２による受信対象及び受信タイミングの制御といった各種制御動作の制御用のプログラム４２１が含まれる。また、初期設定データには、本実施形態の電子時計１でユーザによりホーム都市や世界時計都市として設定選択可能な世界の都市と、当該都市が属するタイムゾーン、夏時間（Daylight Saving Time；ＤＳＴ）実施ルール及び標準電波の受信対象局に係る設定とがリスト記憶された都市設定情報４２２と、電子時計１で受信可能な全ての標準電波送信局（長波長電波送信局）の受信周波数や送信フォーマットに係る情報がリスト記憶された標準電波リスト４２３とが含まれる。
【００１４】
ＲＡＭ４３は、ＣＰＵ４１に作業用のメモリ空間を提供し、各種一時データや上書き更新可能な設定データを記憶する。ＲＡＭ４３には、ＨＴ／ＷＴ設定記憶部４３１及び標準電波受信設定４３２が含まれる。
【００１５】
ＨＴ／ＷＴ設定記憶部４３１は、ホーム位置に関する設定（主設定）として、設定されているホーム都市の位置、都市、タイムゾーン及び夏時間実施ルールと、世界時計位置に関する設定（世界時計設定）として、設定されている世界都市の位置、都市、タイムゾーン及び夏時間実施ルールとが記憶されている。これらの情報が参照されて、計時回路５０により計数されている現在日時がホーム都市及び世界時計都市における地方時に換算され、利用、表示される。
【００１６】
標準電波受信設定４３２は、長波受信部５１により長波長帯で日時情報を送信している標準電波送信局からの標準電波の受信を行う場合における受信対象局の設定を記憶する。標準電波受信設定４３２に記憶される設定は、都市設定情報４２２又は地方時設定記憶部５２１により選択設定された受信対象局を特定する特定情報である。当該特定情報に基づいて標準電波リスト４２３が参照されることで、受信周波数や復号のためのフォーマット情報などが取得可能である。
【００１７】
指針４４は、ここでは、時針、分針及び秒針を含む時刻表示に用いられる指針であり、文字盤上に回転自在に設けられている。ステッピングモータ４５は、歯車列である輪列機構を介してこれらの指針４４を回転動作させるためのものであり、駆動回路４６からの駆動電圧パルスの入力に応じて所定の角度、例えば、１８０度ロータが回転する。駆動回路４６は、ＣＰＵ４１からの制御信号に基づいてステッピングモータ４５に所定電圧及びパルス幅の駆動電圧パルスを出力し、ステッピングモータ４５を駆動する。ここでは、例えば、ホーム都市（ホーム位置）の日時（地方時）を表示するための指針と、世界時計都市(世界時計位置)の日時（地方時）を表示するための指針がそれぞれ別個に設けられ、各々対応するステッピングモータ４５により回転動作される構成とすることが出来る。
これら指針４４、ステッピングモータ４５及び駆動回路４６により表示手段が構成される。
【００１８】
操作部４７は、複数のキーやボタンを備え、これらのキーやボタンが操作されると、操作内容を電気信号に変換して入力信号としてＣＰＵ４１へ出力する。また、操作部４７は、りゅうずやタッチセンサなどを備えていても良い。
【００１９】
発振回路４８は、所定の周波数、例えば、３２ｋＨｚの発振信号を生成して出力する。この発振回路４８は、特には限られないが、例えば、水晶発振器を含むものである。
【００２０】
分周回路４９は、発振回路４８が生成した発振信号を分周し、必要な周波数信号を生成して出力する。分周回路４９は、ＣＰＵ４１からの制御信号により、適宜に分周比を切り替えて異なる周波数の信号を出力させることが可能となっている。
【００２１】
計時回路５０は、分周回路４９から入力された所定の周波数信号を計数し、初期設定日時に加算していくことで現在の日時を計数する。計数される日時は、特には限られないが、例えば、ＵＴＣ日時やＣＰＵ４１によりＵＴＣ日時に換算可能なカウント値である。この計時回路５０の計数する日時は、ＣＰＵ４１からの信号で、測位衛星や標準電波から受信された電波により取得された日時データに基づいて書き換え修正される。
【００２２】
長波受信部５１は、長波長帯の電波を受信するアンテナＡ１を用いて受信した標準電波からタイムコード信号を復調する。標準電波は、長波長帯の振幅変調波（ＡＭ波）であり、本実施形態の長波受信部５１では、特に限られないが、例えば、スーパーヘテロダイン方式により復調を行う。この長波受信部５１は、ＣＰＵ４１からの制御信号により、標準電波を受信する際にのみ電源部５４から電力が供給される構成となっている。また、アンテナＡ１による同調周波数は、長波受信部５１における図示略の同調回路の設定を調整することによって変更することが可能となっている。
長波受信部５１及びアンテナＡ１により長波受信手段が構成される。
【００２３】
衛星電波受信処理部５２は、Ｌ１帯（１．５７５４２ＧＨｚ）の送信電波を受信可能なアンテナＡ２を用いて測位衛星、例えば、米国のＧＰＳ（Global Positioning System）に係るＧＰＳ衛星からの送信電波を受信する受信部と、航法メッセージを復調、復号して日時情報や位置情報を出力する制御部とを備えるモジュールである。この衛星電波受信処理部５２では、制御部は、取得されたＧＰＳ衛星の日時（ＧＰＳ日時）をＵＴＣ日時に変換して出力することが出来る。また、衛星電波受信処理部５２は、地方時設定記憶部５２１を有し、受信部による受信データから制御部が現在位置を算出する測位動作が行われると、制御部は、更に、地方時設定記憶部５２１を参照して取得された現在位置が属するタイムゾーンや当該現在位置における夏時間実施ルールを取得して、ＵＴＣ日時を更に地方時に変換して標準電波の受信対象局に係る設定情報と共にＣＰＵ４１に出力する。
衛星電波受信処理部５２は、ＣＰＵ４１からの制御信号により、測位衛星からの電波受信、日時取得や測位に係る演算処理や、各種設定動作が行われる期間にのみ電源部５４から電力が供給される。
衛星電波受信処理部５２、アンテナＡ２及び操作部４７により位置情報取得手段が構成される。
また、衛星電波受信処理部５２及びアンテナＡ２により衛星電波受信手段及び測位手段が構成される。
【００２４】
ＵＡＲＴ５３は、衛星電波受信処理部５２とＣＰＵ４１との間でデータの入出力をパラレル／シリアル変換して適切にデータの送受信を行わせる。
【００２５】
電源部５４は、電子時計１の各部の動作に必要な電力を供給する。電源部５４は、例えば、ボタン型一次電池によるバッテリを備え、このバッテリは、着脱交換可能に設けられる。このバッテリは、衛星電波受信処理部５２による動作負荷に応じた電力を供給可能な一方で、主に、計時動作及び日時の表示動作に係る低消費電力での使用下で長時間継続的且つ安定的に運用可能な小型軽量なものが好ましい。
【００２６】
図２は、本実施形態の電子時計１においてＲＡＭ４３に記憶されるホーム時計及び世界時計の設定に係る記憶内容を説明する図である。
【００２７】
この電子時計１では、ホーム時計（ＨＴ）及び世界時計（ＷＴ）に係る設定がＨＴ／ＷＴ設定記憶部４３１に記憶される。ＨＴ／ＷＴ設定記憶部４３１の記憶内容としては、ＨＴ及びＷＴの各設定位置(ホーム位置、世界時計位置)を示す緯度経度情報、当該緯度経度と各々対応する都市情報(ホーム都市、世界時計都市)、これらのホーム位置（都市）や世界時計位置（都市）が属するタイムゾーンにおけるＵＴＣ日時からの時差情報、及び夏時間実施時における標準時間からのシフト時間に係る情報がそれぞれ含まれる。また、これに夏時間の実施期間に係る情報などが含まれていても良い。また、緯度経度情報と都市情報とは、少なくとも何れか一方が設定されていれば良い。
ＣＰＵ４１は、計時回路５０が出力するＵＴＣ日時をこれらの設定内容に基づいて地方時に換算して、換算された日時を随時ＲＡＭ４３に記憶、更新する。
【００２８】
例えば、図２（ａ）に示すように、ホーム位置として北緯３５．７度、東経１３９．７度が設定され、これに応じたホーム都市として東京が選択されている。また、このホーム位置が属するタイムゾーンの時差として、＋９．０時間が設定され、夏時間の不実施を示すシフト時間＋０．０時間が設定されている。また、一方で、世界時計位置として、北緯３７．８度、西経１２２．４度が設定され、これに応じた世界時計都市としてサンフランシスコが選択されている。また、この世界時計位置が属するタイムゾーンの時差として、−８．０時間が設定され、夏時間実施時におけるシフト時間＋１．０時間が設定されている。
【００２９】
また、標準電波受信設定４３２として、ホーム都市である東京で受信可能な日本の標準電波局であるＪＪＹ６０（登録商標：ＪＪＹ）が設定されている。
【００３０】
一方、図２（ｂ）に示すように、本実施形態の電子時計１では、ホーム位置（ホーム都市）や世界時計位置（世界時計都市）を示す情報として、実際の緯度経度や都市ではなく、ＵＴＣ（協定世界時）（特定地点を示す情報）を選択することが可能となっている。ここでは、ホーム位置及びホーム都市を示す情報として、ＵＴＣが設定されている。この場合、標準電波受信設定４３２として、世界時計都市として設定されている東京で受信可能な標準電波送信局であるＪＪＹ６０が設定されている。
【００３１】
次に、本実施形態の電子時計１における地方時設定動作について説明する。
本実施形態の電子時計１では、予めホーム都市（例えば、電子時計１の販売地域の代表的な都市）及び世界時計都市（例えば、ＵＴＣ）の初期設定がなされている。測位衛星からの電波を受信して測位が行われた場合には、ホーム位置の緯度経度及び／又は世界時計位置緯度経度が設定されると共に対応する都市が選択され、また、ユーザにより手動で都市設定が選択された場合には、設定モードに応じてホーム都市又は世界時計都市が更新される。そして、これら緯度経度情報や都市情報の更新に伴って関連する時差や夏時間実施ルールに係る設定が変更される。
【００３２】
図３は、本実施形態の電子時計１で実行される地方時情報取得処理のＣＰＵ４１による制御手順を示すフローチャートである。この地方時情報取得処理は、所定の条件、例えば、ユーザによって実行命令が入力操作された場合、図示略のセンサなどによってユーザ（電子時計１）の位置が大きく変化したことが検出された場合や、予めスケジュール設定されたタイミング（例えば１日１回など）に自動的に起動される。
【００３３】
地方時情報取得処理が開始されると、ＣＰＵ４１は、ＨＴ及びＷＴが何れもＵＴＣ時刻であるか否かを判別する（ステップＳ１０１）。ＣＰＵ４１は、ＨＴ／ＷＴ設定記憶部４３１を参照して、ホーム都市（ホーム位置）及び世界時計都市（世界時計位置）を示す設定情報の何れもがＵＴＣであるか否かを判別する。少なくとも何れかがＵＴＣではないと判別された場合には（ステップＳ１０１で“ＮＯ”）、ＣＰＵ４１は、衛星電波受信処理部５２を起動して測位要求を送信する（ステップＳ１０２）。ＣＰＵ４１は、衛星電波受信処理部５２からの返答を待ち受けて、測位結果と現在の日時情報とを取得する。
【００３４】
ＣＰＵ４１は、日時の取得に成功したか否かを判別する（ステップＳ１０３）。成功しなかったと判別された場合には（ステップＳ１０３で“ＮＯ”）、ＣＰＵ４１は、位置情報取得処理を終了する。成功したと判別された場合には（ステップＳ１０３で“ＹＥＳ”）、ＣＰＵ４１は、測位に成功したか否かを判別する（ステップＳ１０４）。測位に成功しなかったと判別された場合には（ステップＳ１０４で“ＮＯ”）、ＣＰＵ４１の処理は、ステップＳ１０８に移行する。
【００３５】
測位に成功したと判別された場合には（ステップＳ１０４で“ＹＥＳ”）、ＣＰＵ４１は、ホーム都市を示す情報としてＵＴＣが設定されているか否かを判別する（ステップＳ１０５）。ＵＴＣが設定されていると判別された場合には（ステップＳ１０５で“ＹＥＳ”）、ＣＰＵ４１は、取得された現在位置を世界時計位置として設定する（ステップＳ１０６）。また、ＣＰＵ４１は、衛星電波受信処理部５２から併せて得られた現在位置の属するタイムゾーン及び夏時間実施ルールにより世界時計（ＷＴ）に係る地方時設定を行ってＨＴ／ＷＴ設定記憶部４３１に記憶させる。それから、ＣＰＵ４１の処理は、ステップＳ１０７に移行する。
【００３６】
ホーム都市を示す情報がＵＴＣを示していないと判別された場合には（ステップＳ１０５で“ＮＯ”）、ＣＰＵ４１は、取得された現在位置をホーム位置として設定する（ステップＳ１１６）。また、ＣＰＵ４１は、衛星電波受信処理部５２から併せて得られた現在位置の属するタイムゾーン及び夏時間実施ルールによりホーム時計（ＨＴ）に係る地方時設定を行ってＨＴ／ＷＴ設定記憶部４３１に記憶させる。それから、ＣＰＵ４１の処理は、ステップＳ１０７に移行する。
【００３７】
ステップＳ１０７の処理に移行すると、ＣＰＵ４１は、取得された現在位置に基づいて受信対象とする標準電波送信局の設定を行い、標準電波受信設定４３２として記憶させる（ステップＳ１０７）。ＣＰＵ４１は、衛星電波受信処理部５２から当該設定情報が受信された場合には、そのままこの設定を用いて標準電波受信設定４３２として記憶させることが出来る。それから、ＣＰＵ４１の処理は、ステップＳ１０８に移行する。
【００３８】
ステップＳ１０８の処理に移行すると、ＣＰＵ４１は、取得された現在日時（ＵＴＣ日時）により計時回路５０の日時を修正し、当該修正された計時回路５０の日時と設定されているＨＴ設定及びＷＴ設定とに基づいて、ホーム時計及び世界時計として計数する日時を修正する（ステップＳ１０８）。そして、ＣＰＵ４１は、地方時情報取得処理を終了する。
【００３９】
一方、ステップＳ１０１の判別処理で、ＨＴ及びＷＴが何れもＵＴＣ時刻であると判別された場合には（ステップＳ１０１で“ＹＥＳ”）、ＣＰＵ４１は、衛星電波受信処理部５２を起動して、日時情報のみの取得を要求する（ステップＳ１２２）。ＣＰＵ４１は、衛星電波受信処理部５２からの返答を待ち受けて、日時情報を取得する。
【００４０】
ＣＰＵ４１は、日時情報の取得に成功したか否かを判別する（ステップＳ１２３）。成功したと判別された場合には（ステップＳ１２３で“ＹＥＳ”）、ＣＰＵ４１の処理は、ステップＳ１０８に移行する。成功しなかった（失敗した）と判別された場合には（ステップＳ１２３で“ＮＯ”）、ＣＰＵ４１は、地方時情報取得処理を終了する。
【００４１】
図４は、本実施形態の電子時計で実行されるＨＴ手動設定処理のＣＰＵ４１による制御手順を示すフローチャートである。
このＨＴ手動設定処理は、ユーザの操作部４７への入力操作によりホーム都市の設定モードへの移行が検出された場合に開始される。
【００４２】
ＨＴ手動設定処理が開始されると、ＣＰＵ４１は、ユーザによる設定の確定操作がなされたか否かを判別する（ステップＳ２０１）。確定操作がなされていないと判別された場合には（ステップＳ２０１で“ＮＯ”）、ＣＰＵ４１は、ステップＳ２０１の処理を繰り返す。
【００４３】
確定操作がなされたと判別された場合には（ステップＳ２０１で“ＹＥＳ”）、ＣＰＵ４１は、設定されたホーム都市の情報を取得し、都市設定情報４２２を参照して、当該ホーム都市に対応するタイムゾーン情報及び夏時間実施ルールを取得する。ＣＰＵ４１は、これらホーム都市及びそのタイムゾーンの時差や夏時間実施ルールに係る情報をＨＴ／ＷＴ設定記憶部４３１に記憶させる（ステップＳ２０２）。
【００４４】
ＣＰＵ４１は、更新されたホーム都市を示す設定情報がＵＴＣであるか否かを判別する（ステップＳ２０３）。ＵＴＣでないと判別された場合には（ステップＳ２０３で“ＮＯ”）、ＣＰＵ４１は、設定されたホーム都市を含む受信エリアを有する標準電波送信局を設定して標準電波受信設定４３２に記憶させる（ステップＳ２２５）。そして、ＣＰＵ４１は、ＨＴ手動設定処理を終了する。
【００４５】
ホーム都市の設定情報がＵＴＣを示していると判別された場合には（ステップＳ２０３で“ＹＥＳ”）、ＣＰＵ４１は、世界時計都市の設定情報がＵＴＣを示しているか否かを判別する（ステップＳ２０４）。世界時計都市の設定情報がＵＴＣを示していないと判別された場合には（ステップＳ２０４で“ＮＯ”）、ＣＰＵ４１は、都市設定情報４２２を参照して世界時計都市を含む受信エリアを有する標準電波送信局を設定して標準電波受信設定４３２に記憶させる（ステップＳ２１５）。そして、ＣＰＵ４１は、ＨＴ手動設定処理を終了する。
【００４６】
世界時計都市の設定情報がＵＴＣを示していると判別された場合には（ステップＳ２０４で“ＹＥＳ”）、ＣＰＵ４１は、受信対象とする標準電波送信局を「無し」に設定する（ステップＳ２０５）。そして、ＣＰＵ４１は、ＨＴ手動設定処理を終了する。
【００４７】
図５は、本実施形態の電子時計で実行されるＷＴ手動設定処理のＣＰＵ４１による制御手順を示すフローチャートである。
このＷＴ手動設定処理は、ユーザの操作部４７への入力操作により世界時計都市の設定モードへの移行が検出された場合に開始される。
【００４８】
ＷＴ手動設定処理が開始されると、ＣＰＵ４１は、ユーザによる設定の確定操作がなされたか否かを判別する（ステップＳ３０１）。確定操作がなされていないと判別された場合には（ステップＳ３０１で“ＮＯ”）、ＣＰＵ４１は、ステップＳ３０１の処理を繰り返す。
【００４９】
確定操作がなされたと判別された場合には（ステップＳ３０１で“ＹＥＳ”）、ＣＰＵ４１は、設定された世界時計都市の情報を取得し、都市設定情報４２２を参照して当該世界時計都市に対応するタイムゾーン情報及び夏時間実施ルールを取得する。ＣＰＵ４１は、これら世界時計都市及びそのタイムゾーンの時差や夏時間実施ルールに係る情報をＨＴ／ＷＴ設定記憶部４３１に記憶させる（ステップＳ３０２）。
【００５０】
ＣＰＵ４１は、ホーム都市の設定情報がＵＴＣを示しているか否かを判別する（ステップＳ３０３）。ＵＴＣでないと判別された場合には（ステップＳ３０３で“ＮＯ”）、ＣＰＵ４１は、そのままＷＴ手動設定処理を終了する。これにより、現在設定されているホーム都市に応じた標準電波送信局の設定が維持される。
【００５１】
ホーム都市の設定情報がＵＴＣを示していると判別された場合には（ステップＳ３０３で“ＹＥＳ”）、ＣＰＵ４１は、更新された世界時計都市の設定情報がＵＴＣを示しているか否かを判別する（ステップＳ３０４）。世界時計都市の設定情報がＵＴＣを示していないと判別された場合には（ステップＳ３０４で“ＮＯ”）、ＣＰＵ４１は、都市設定情報４２２を参照して世界時計都市を受信エリアに含む標準電波送信局を設定して標準電波受信設定４３２に記憶させる（ステップＳ３１５）。そして、ＣＰＵ４１は、ＷＴ手動設定処理を終了する。
【００５２】
世界時計都市の設定情報がＵＴＣを示していると判別された場合には（ステップＳ３０４で“ＹＥＳ”）、ＣＰＵ４１は、受信対象とする標準電波送信局を「無し」に設定する（ステップＳ３０５）。そして、ＣＰＵ４１は、ＷＴ手動設定処理を終了する。
【００５３】
以上のように、本実施形態の電子時計１は、現在日時を計数する計時回路５０と、ＣＰＵ４１と、位置情報を取得するための衛星電波受信処理部５２、及び操作部４７と、を備える。
ＣＰＵ４１は、世界の一地点を地方時の算出に係るホーム位置に関する設定として定め、予め定められた数以内（ここでは１つ）の世界の地点を世界時計都市設定として定める地方時設定手段として動作し、また、計時回路５０により計数されている日時をホーム位置に関する設定及び世界時計位置に関する設定として定められている世界の地点の地方時にそれぞれ変換する地方時算出手段として動作する。
また、地方時設定手段としてのＣＰＵ４１は、新たな位置情報が取得されると、ホーム位置に関する設定として予め定められている特定地点が選択されている場合には、取得された位置により世界時計都市設定を更新し、ホーム位置に関する設定として特定地点が選択されていない場合には、取得された位置によりホーム位置（ホーム都市）を定める。
従って、ホーム位置（ホーム都市）に対してユーザが変更を希望しないような特定の設定がなされている場合、世界時計都市（世界時計位置）の設定を変更して現在位置をサブとして計数、利用することで、ユーザの意向を尊重しつつより柔軟に現在位置に反映した表示を行わせることが出来る。
【００５４】
また、上記特定地点を示す情報には、ＵＴＣ日時が含まれる。従って、このように具体的な位置に対応しない日時（時刻）であって特定の用途などで用いられる日時を表示可能であり、このような日時を優先しつつ取得された現在位置により世界時計都市（世界時計位置）を更新していくので、より柔軟に取得された現在位置に応じた表示などを行わせつつ、ユーザ設定を尊重したＵＴＣ日時の利用、表示を維持させることが出来る。
【００５５】
また、位置情報取得手段として、ＧＰＳ衛星などの測位衛星からの電波を受信し、測位手段として、当該受信された電波に基づいて復調、復号及び演算処理を行い、現在位置を算出する衛星電波受信処理部５２及びアンテナＡ２を備える。従って、上空の視野が必要な範囲以上開けている限りにおいて、世界の何れの場所でも正しい位置情報を取得して、ＵＴＣ時刻の表示設定などのユーザのホーム都市の設定を尊重しつつ現在位置を考慮した世界時計位置の設定を柔軟に行わせることが出来る。
【００５６】
また、位置取得制御手段としてのＣＰＵ４１は、衛星電波受信手段としての衛星電波受信処理部５２及びアンテナＡ２に対し、電波を受信させて現在位置を取得させ、当該衛星電波受信処理部５２は、ホーム位置に関する設定及び世界時計位置に関する設定情報の何れでもＵＴＣが示されている場合に、現在位置の取得を中止させる。従って、ホーム位置及び世界時計の何れに対してもユーザが現在位置に応じた地方時への変更を望まない場合には、衛星電波受信処理部５２及びアンテナＡ２により新たな位置情報を取得しない。これにより、意味の無い現在位置情報の取得動作を防ぎ、電力消費の効率化を図ることが出来る。
なお、世界時計設定が複数可能な場合、現在位置に対応する一つの世界時計位置（世界時計都市）のみを考慮するように定めることが出来る。或いは、予め定められた一つの世界時計位置がＵＴＣであるか否かの判断のみを行っても良い。
【００５７】
また、日時情報を送信する長波長帯の標準電波送信局からの電波を受信する長波受信部５１及びアンテナＡ１を備え、ＣＰＵ４１は、これら長波受信部５１及びアンテナＡ１により受信された日時情報を解読して取得する日時取得手段として動作する。
地方時設定手段としてのＣＰＵ４１は、ホーム位置に関する設定として特定地点（ＵＴＣ日時）を示す情報が定められている場合には、世界時計都市設定において予め定められた一つの地点が受信範囲として定められている標準電波送信局を受信対象とする。
従って、ホーム位置（ホーム都市）が現在位置と異なる場合に当該ホーム位置を基準することによる標準電波の受信困難を防ぎ、適切な標準電波設定を行って、正確な日時情報の維持を図ると共に、標準電波の受信失敗により無駄な電力消費が生じるのを抑える。
【００５８】
また、ユーザによる操作を受け付ける操作部４７を備え、地方時設定手段としてのＣＰＵ４１は、操作部４７によりホーム位置に関する設定が特定地点（ＵＴＣ）を示すものに変更された場合には、世界時計都市設定において予め定められた一つの地点が受信範囲として定められている標準電波送信局を受信対象とし、操作部４７によりホーム位置に関する設定が特定地点（ＵＴＣ）を示すものから特定地点以外の地点（ＵＴＣ以外の通常位置情報）に変更された場合には、ホーム位置に関する設定に係る地点が受信範囲として定められている標準電波送信局を受信対象とする。
これにより、ユーザ操作によるホーム位置（即ち、ホーム都市）に関する設定の変更に応じて標準電波の受信対象局をより現在位置に即して適切に設定し、受信及び時刻の修正を行うことが出来る。
【００５９】
また、ホーム位置に関する設定に係る地点における地方時と、世界時計都市設定に係る地点の少なくとも一つにおける地方時とを同時に表示する表示手段としての指針４４、ステッピングモータ４５及び駆動回路４６を備え、ＣＰＵ４１は、これら表示手段の表示内容を制御する表示制御手段として動作する。表示制御手段としてのＣＰＵ４１は、ホーム位置に関する設定又は世界時計位置に関する設定が変更された場合には、当該変更された設定に係る地点の地方時を表示手段により表示させる。
このように、電子時計１において、ホーム都市（ホーム位置）や世界時計都市（世界時計位置）の変更に応じて速やかに表示する地方時を変更することで、ユーザは、ストレスなく必要な時刻情報を知得することが出来る。
【００６０】
また、計時回路５０を備え、世界時計機能を有する電子時計１において、上述の方法により、位置情報が取得された際の地方時設定を変更することで、ユーザの意向を尊重しつつ、より柔軟に計数、表示させる日時の設定を行うことが出来る。
【００６１】
なお、本発明は、上記実施の形態に限られるものではなく、様々な変更が可能である。
例えば、上記実施の形態では、ＵＴＣが設定されている場合にホーム位置及びホーム都市の更新が行われないこととしたが、通常の位置や都市が選択されている場合であっても、当該位置や設定が測位結果に応じて変更されない位置として予め設定されている場合や、ユーザが変更を望まないことを示す設定を行うことが可能な場合などには、当該ホーム位置及びホーム都市の設定の代わりに世界時計位置及び世界時計都市の設定が更新されても良い。
【００６２】
また、上記実施形態では、測位衛星からの電波とユーザ操作とに基づいて位置情報が取得されることとしたが、その他の方法、例えば、携帯電話やスマートフォンなどから近距離無線通信を介して位置情報が取得されても良い。携帯電話やスマートフォンなどから取得される位置情報としては、例えば、緯度経度の情報や都市名などの情報であっても良い。
【００６３】
また、上記実施の形態では、指針を用いて表示を行うアナログ電子時計を例に挙げて説明したが、デジタル表示画面を用いたデジタル電子時計であっても良い。また、ユーザ設定の場合には、予め定められた都市の中から選択する例を挙げて説明したが、手動操作により緯度や経度の入力が行われても良い。
【００６４】
また、上記実施の形態では、世界時計として一つの地点のみが選択されて計数、表示されたが、複数地点が設定されても良い。この場合、複数地点の表示が同時に可能であっても良いし、ユーザ操作に応じて順次切り替えられても良い。また、各地点の情報は、ユーザ操作により要求された場合にのみ一時的に表示されても良いし、常時都市名などが表示されていても良い。
【００６５】
また、複数の世界時計位置（世界時計都市）の設定が可能な場合、現在位置に対応するものが識別可能とされて、当該現在位置に応じて標準電波の受信対象局が選択される構成とされることが出来る。これら複数の世界時計位置には、番号や優先度などが付されても良く、ユーザ操作などに応じて当該番号を指定して設定変更可能であったり、測位が行われた場合に優先度の最も高いものが変更される形態であったりしても良い。
【００６６】
また、上記実施の形態では、ホーム位置及び世界時計位置の何れにもＵＴＣが設定された場合には、測位動作を中止することとしたが、標準電波の受信設定のためにのみ測位動作を行わせても良い。
【００６７】
また、上記実施の形態では、衛星電波受信処理部５２の地方時設定記憶部５２１と、ＲＯＭ４２の都市設定情報４２２とが別個に保持されたが、同一のメモリに保持されても良く、また、設定処理も全て一つのＣＰＵ（ＣＰＵ４１など）によって行われても良い。
その他、上記実施の形態で示した構成や制御内容などの具体的な細部は、本発明の趣旨を逸脱しない範囲において適宜変更可能である。
【００６８】
本発明のいくつかの実施形態を説明したが、本発明の範囲は、上述の実施の形態に限定されるものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
【００６９】
［付記］
＜請求項１＞
現在日時を計数する計時手段と、
世界の一地点を地方時の算出に係る主設定として定め、予め定められた数以内の世界の地点を世界時計設定として定める地方時設定手段と、
前記計時手段により計数されている日時を前記地方時設定手段により前記主設定及び前記世界時計設定として定められている世界の地点の地方時にそれぞれ変換する地方時算出手段と、
位置情報取得手段と、
を備え、
前記地方時設定手段は、
前記位置情報取得手段により新たな位置情報が取得されると、主設定として予め定められた特定地点が選択されている場合には、前記位置情報取得手段により取得された位置を前記世界時計設定の一つとして追加又は入れ替えを行い、主設定として前記特定地点が選択されていない場合には、前記位置情報取得手段により取得された位置を主設定として定める
ことを特徴とする電子時計。
＜請求項２＞
前記特定地点を示す情報には、ＵＴＣ日時が含まれることを特徴とする請求項１記載の電子時計。
＜請求項３＞
前記位置情報取得手段は、
測位衛星からの電波を受信する衛星電波受信手段と、
当該衛星電波受信手段により受信された電波に基づいて現在位置を算出する測位手段と、
を備えることを特徴とする請求項１又は２記載の電子時計。
＜請求項４＞
前記衛星電波受信手段により電波を受信させて前記測位手段により前記現在位置を取得させる位置取得制御手段を備え、
当該位置取得制御手段は、
前記主設定及び前記世界時計設定の何れにも前記特定地点が設定されている場合に、現在位置の取得を中止させる
ことを特徴とする請求項３記載の電子時計。
＜請求項５＞
日時情報を送信する長波長電波送信局からの電波を受信する長波受信手段と、
当該長波受信手段により受信された日時情報を解読して取得する日時取得手段と、
を備え、
前記地方時設定手段は、
前記主設定として前記特定地点が定められている場合には、前記世界時計設定において予め定められた一つの地点が受信範囲として定められている長波長電波送信局を受信対象とする
ことを特徴とする請求項１〜４の何れか一項に記載の電子時計。
＜請求項６＞
ユーザによる操作を受け付ける操作受付手段を備え、
前記地方時設定手段は、前記操作受付手段により前記主設定が前記特定地点に変更された場合には、前記世界時計設定において予め定められた一つの地点が受信範囲として定められている長波長電波送信局を受信対象とし、前記操作受付手段により前記主設定が前記特定地点から前記特定地点以外の地点に変更された場合には、前記主設定に係る地点が受信範囲として定められている長波長電波送信局を受信対象とする
ことを特徴とする請求項５記載の電子時計。
＜請求項７＞
前記主設定に係る地点における地方時と、前記世界時計設定に係る地点の少なくとも一つにおける地方時とを同時に表示する表示手段と、
前記表示手段の表示内容を制御する表示制御手段と、
を備え、
前記表示制御手段は、
前記位置情報取得手段により前記主設定又は前記世界時計設定が変更された場合には、当該変更された設定に係る地点の地方時を前記表示手段により表示させる
ことを特徴とする請求項１〜６の何れか一項に記載の電子時計。
＜請求項８＞
計時手段を備える電子時計において地方時の算出位置を設定する地方時の位置設定方法であって、
世界の一地点を地方時の算出に係る主設定として設定し、予め定められた数以内の世界の地点を世界時計設定として定める地方時設定ステップ、
前記計時手段により計数されている日時を前記地方時設定ステップで前記主設定及び前記世界時計設定として設定されている世界の地点の地方時にそれぞれ変換する地方時算出ステップ、
位置情報取得ステップ、
を含み、
前記地方時設定ステップは、
前記位置情報取得ステップで新たな位置情報が取得されると、主設定として予め定められた特定地点が選択されている場合には、前記位置情報取得ステップで取得された位置を前記世界時計設定の一つとして追加又は入れ替えを行い、前記主設定として前記特定地点が選択されていない場合には、前記位置情報取得ステップで取得された位置を前記主設定として定める
ことを特徴とする地方時の位置設定方法。
【符号の説明】
【００７０】
１     電子時計
４１   ＣＰＵ
４２   ＲＯＭ
４２１ プログラム
４２２ 都市設定情報
４２３ 標準電波リスト
４３   ＲＡＭ
４３１ ＨＴ／ＷＴ設定記憶部
４３２ 標準電波受信設定
４４   指針
４５   ステッピングモータ
４６   駆動回路
４７   操作部
４８   発振回路
４９   分周回路
５０   計時回路
５１   長波受信部
５２   衛星電波受信処理部
５２１ 地方時設定記憶部
５３   ＵＡＲＴ
５４   電源部
Ａ１   アンテナ
Ａ２   アンテナ
【図１】
0006582620.tif 000002
【図２】
0006582620.tif 000003
【図３】
0006582620.tif 000004
【図４】
0006582620.tif 000005
【図５】
0006582620.tif 000006